(57)【要約】【課題】フォーマット動作を中止した時点までにフォーマットされている領域を利用することができる情報記録媒体と、それ用いた情報記録方法及び情報記録装置。【解決手段】フォーマット動作の開始前に、記録マネージメントデータ（ＲＭＤ）と物理フォーマット情報（ＰＦＩ）にフォーマット動作が進行中であることを示す情報と実行するフォーマットの種類と情報記録媒体がフォーマットされた範囲を示す情報を設定し、フォーマット動作終了後に記録マネージメントデータ（ＲＭＤ）と物理フォーマット情報（ＰＦＩ）にフォーマット動作が完了したことを示す情報と情報記録媒体の記録状態を設定し、フォーマット動作中に中止指示を受信すると、記録マネージメントデータ（ＲＭＤ）にフォーマット動作が中止されたことを示す情報を設定してから動作を中止する。【選択図】      図２７
2009015884.tif 000002
【特許請求の範囲】
【請求項１】
記録可能なデータ領域と、該データ領域の内周側に設けられた記録可能な管理領域とを具備する情報記録媒体において、
前記管理領域は記録マネジメントデータ複製領域と、該複製領域の外周側に設けられた記録マネジメント領域と、該マネジメント領域の外周側に設けられた物理フォーマット情報領域とを具備し、
前記記録マネジメント領域はデータ領域の記録状態を表す記録マネジメントデータを記録状態が変化する毎に記録し、
前記記録マネジメントデータ複製領域は所定のタイミングで最新の記録マネジメントデータの複製を記録し、
前記物理フォーマット情報領域はデータ領域の記録状態に関する物理フォーマット情報を記録し、
前記記録マネジメントデータは情報記録媒体がエンプティ状態、フォーマット動作が進行中、ファイナライズ状態、シーケンシャルフォーマッティングモードのインターミディエイト状態、フラグメントレコーディングモードのインターミディエイト状態、フルファイナライズ状態のいずれであるかを示す情報と、処理中もしくは処理後のフォーマット動作の種類に関する情報と、データ領域の中でフォーマットされた領域もしくはユーザデータが記録された領域の開始位置と終了位置を示すフォーマット領域管理情報とを記録する情報記録媒体。
【請求項２】
請求項１記載の情報記録媒体に情報を記録する情報記録方法において、
前記記録マネージメントデータと前記物理フォーマット情報にフォーマット動作が進行中であることを示す情報と実行するフォーマットの種類と情報記録媒体がフォーマットされた範囲を示す情報を設定してからフォーマット動作を行い、
フォーマット動作終了後に、前記記録マネージメントデータと前記物理フォーマット情報にフォーマット動作が完了したことを示す情報と情報記録媒体の記録状態を設定し、
フォーマット動作中にフォーマット動作中止指示を受信すると、前記記録マネージメントデータにフォーマット動作が中止されたことを示す情報を設定してからフォーマット動作を中止する情報記録方法。
【請求項３】
請求項１記載の情報記録媒体に情報を記録する情報記録装置において、
前記記録マネージメントデータと前記物理フォーマット情報にフォーマット動作が進行中であることを示す情報と実行するフォーマットの種類と情報記録媒体がフォーマットされた範囲を示す情報を設定する第１設定手段と、
前記第１設定手段の設定後にフォーマット動作を行うフォーマット手段と、
前記フォーマット動作手段によるフォーマット動作の終了後に、前記記録マネージメントデータと前記物理フォーマット情報にフォーマット動作が完了したことを示す情報と情報記録媒体の記録状態を設定する第２設定手段と、
前記フォーマット動作手段によるフォーマット動作中にフォーマット動作中止指示を受信すると、前記記録マネージメントデータにフォーマット動作が中止されたことを示す情報を設定してからフォーマット動作を中止する制御手段と、
を具備する情報記録装置。
【発明の詳細な説明】
【技術分野】
【０００１】
本発明は記録可能な情報記録媒体、及びその情報記録媒体を用いた情報記録装置、情報記録方法に関する。
【背景技術】
【０００２】
映像信号等の大量な情報を記録できる記録媒体として、ＤＶＤ（デジタル・バーサタイル・ディスク）が普及している。これにより、２時間程度の映画をＤＶＤに記録し、再生装置により情報を再生することにより家庭で自由に映画を見ることができるようになった。記録型のＤＶＤは追記や書き換えが可能であり、複数の番組を一枚のディスクに記録することも可能になっている。記録型の記録媒体においては、ユーザデータの記録状態を管理するために記録マネジメントデータを保持する必要があり、データ領域の内周側等に記録マネジメントデータを記録するための記録可能管理領域がそれぞれ設けられている。
【０００３】
また、記録型の記録媒体においては、記録領域全体、あるいは指定された一部分に対して予め所定のデータを記録するフォーマットを行う必要がある。しかし、フォーマットする領域が大きい場合、その処理には時間が係る。例えば、ＨＤ  ＤＶＤ−ＲＷの２層ディスクの場合、ディスク全面をフォーマットする所要時間は約２時間である。光ディスク装置を制御している、例えばパーソナルコンピュータ（ＰＣ）等のホスト装置が何からの理由でフォーマット動作を中止させるためには、フォーマット動作の終了まで待つか、強制終了することになる。強制終了した場合は、その後、最初から再フォーマットしなければならない。
【０００４】
例えば、特許文献１では情報記録媒体に対するバックグラウンドフォーマット処理の際に情報記録媒体上に記録する記録状態の情報を適切なタイミングで更新することが記載されている。しかし、バックグラウンドでフォーマットする場合は、ホスト装置は光ディスク装置がフォーマット動作をしていることを認識しない。そのため、ホスト装置は光ディスク装置がフォーマット動作中に電源をオフすることもある。このような場合、フォーマット状態を示すデータが記録マネジメントデータに正しく反映されないため、フォーマット動作が全く行われていないと認識されてしまうため、再フォーマットが必要となる。
【特許文献１】特開２００３−４５１１７号公報（段落０００８）。
【発明の開示】
【発明が解決しようとする課題】
【０００５】
このように従来の記録型の情報記録媒体にはフォーマット動作を中止し、中止した時点までにフォーマットされている領域を利用することが出来なかった。
【０００６】
本発明の目的は、フォーマット動作を中止し、中止した時点までにフォーマットされている領域を利用することが出来る記録型の情報記録媒体、およびその媒体を用いる情報記録装置、情報記録方法を提供することである。
【課題を解決するための手段】
【０００７】
本発明の一態様によれば、記録可能なデータ領域と、該データ領域の内周側に設けられた記録可能な管理領域とを具備する情報記録媒体において、
前記管理領域は記録マネジメントデータ複製領域と、該複製領域の外周側に設けられた記録マネジメント領域と、該マネジメント領域の外周側に設けられた物理フォーマット情報領域とを具備し、
前記記録マネジメント領域はデータ領域の記録状態を表す記録マネジメントデータを記録状態が変化する毎に記録し、
前記記録マネジメントデータ複製領域は所定のタイミングで最新の記録マネジメントデータの複製を記録し、
前記物理フォーマット情報領域はデータ領域の記録状態に関する物理フォーマット情報を記録し、
前記記録マネジメントデータは情報記録媒体がエンプティ状態、フォーマット動作が進行中、ファイナライズ状態、シーケンシャルフォーマッティングモードのインターミディエイト状態、フラグメントレコーディングモードのインターミディエイト状態、フルファイナライズ状態のいずれであるかを示す情報と、処理中もしくは処理後のフォーマット動作の種類に関する情報と、データ領域の中でフォーマットされた領域もしくはユーザデータが記録された領域の開始位置と終了位置を示すフォーマット領域管理情報とを記録する。
【０００８】
本発明の他の態様によれば、上記した情報記録媒体に情報を記録する情報記録方法において、
前記記録マネージメントデータと前記物理フォーマット情報にフォーマット動作が進行中であることを示す情報と実行するフォーマットの種類と情報記録媒体がフォーマットされた範囲を示す情報を設定してからフォーマット動作を行い、
フォーマット動作終了後に、前記記録マネージメントデータと前記物理フォーマット情報にフォーマット動作が完了したことを示す情報と情報記録媒体の記録状態を設定し、
フォーマット動作中にフォーマット動作中止指示を受信すると、前記記録マネージメントデータにフォーマット動作が中止されたことを示す情報を設定してからフォーマット動作を中止するものである。
【０００９】
本発明の他の態様によれば、上記した情報記録媒体に情報を記録する情報記録装置において、
前記記録マネージメントデータと前記物理フォーマット情報にフォーマット動作が進行中であることを示す情報と実行するフォーマットの種類と情報記録媒体がフォーマットされた範囲を示す情報を設定する第１設定手段と、
前記第１設定手段の設定後にフォーマット動作を行うフォーマット手段と、
前記フォーマット動作手段によるフォーマット動作の終了後に、前記記録マネージメントデータと前記物理フォーマット情報にフォーマット動作が完了したことを示す情報と情報記録媒体の記録状態を設定する第２設定手段と、
前記フォーマット動作手段によるフォーマット動作中にフォーマット動作中止指示を受信すると、前記記録マネージメントデータにフォーマット動作が中止されたことを示す情報を設定してからフォーマット動作を中止する制御手段と、
を具備するものである。
【発明の効果】
【００１０】
以上説明したように本発明によれば、フォーマット動作の開始前に、記録マネージメントデータと物理フォーマット情報にフォーマット動作が進行中であることを示す情報と実行するフォーマットの種類と情報記録媒体がフォーマットされた範囲を示す情報を設定してからフォーマット動作を行い、フォーマット動作終了後に記録マネージメントデータと物理フォーマット情報にフォーマット動作が完了したことを示す情報と情報記録媒体の記録状態を設定し、フォーマット動作中にフォーマット動作中止指示を受信すると、記録マネージメントデータにフォーマット動作が中止されたことを示す情報を設定してからフォーマット動作を中止することにより、フォーマット動作を中止した時点までにフォーマットされている領域を利用することができる。
【発明を実施するための最良の形態】
【００１１】
以下、図面を参照して本発明による情報記録媒体、情報記録装置及び情報記録方法の実施の形態を説明する。
【００１２】
＜光ディスク装置＞
図１に本発明の実施形態の一つである光ディスク装置１２のブロック図を示す。光ディスク装置１２は光学ヘッド（ピックアップヘッド：ＰＵＨ）／アクチュエータ２１から出射されるレーザ光を光ディスク１１の情報記録層に集光することにより情報の記録再生を行っている。光ディスク１１から反射した光はＰＵＨ／アクチュエータ２１の光学系を再び通過し、フォトディテクター（ＰＤ）２２で電気信号として検出される。検出された電気信号はプリアンプ２３で増幅され、サーボ回路２４、ＲＦ信号処理回路２７、アドレス信号処理回路２８に出力される。サーボ回路２４ではフォーカスサーボ、トラッキングサーボ、チルトサーボ等の各種サーボ信号が生成され、各サーボ信号がそれぞれ、ＰＵＨ／アクチュエータ（フォーカスアクチュエータ、トラッキングアクチュエータ、チルトアクチュエータ）２１に出力される。
【００１３】
ＲＦ信号処理回路２７、アドレス信号処理回路２８における記録されたデータの読み取りやアドレス信号等の復調の方法としてはスライス方式やＰＲＭＬ(Partial Response Maximum Likelihood)方式がある。光ディスク装置１２は記録再生の対象となる光ディスク１１とＰＵＨ／アクチュエータ２１によって形成される集光ビームスポットのサイズとによって最適な復調方式を選択する。スライス方式には再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。ＰＲＭＬ方式に関しても、再生信号の周波数特性に対応して最適なＰＲクラス、例えばＰＲ（１，２，２，２１）や、ＰＲ（１，２，１）、ＰＲ（１，２，２，１）、ＰＲ（３，４，４，３）等が選択される。アドレス信号処理回路２８では検出された信号を処理することにより光ディスク１１上の記録位置を示す物理アドレス情報を読み出し、コントローラ２９に出力する。コントローラ２９はこのアドレス情報を元に所望の位置のユーザデータ等のデータを読み出したり、所望の位置にデータを記録したりする記録制御機能を有している。記録の際、データは記録信号処理回路２６で光ディスク記録に適した記録波形制御信号に変調される。この信号を元にＬＤ駆動回路（ＬＤＤ）２５はＰＵＨ／アクチュエータ２１内のレーザダイオード（ＬＤ）を発光させ、光ディスク１１に情報を記録する。
【００１４】
本実施形態ではＬＤの波長は４０５±１５ｎｍである。ＰＵＨ／アクチュエータ２１内で上記波長の光を光ディスク１１上に集光させるために用いられる対物レンズのＮＡ値は０．６５である。対物レンズに入射する直前の入射光の強度分布として、中心強度を１とした時の対物レンズ周辺（開口部境界位置）での相対的な強度をＲＩＭ  Ｉｎｔｅｎｓｉｔｙと呼ぶ。ＨＤ  ＤＶＤフォーマットにおけるＲＩＭ  Ｉｎｔｅｎｓｉｔｙの値は５５〜７０％になるように設定してある。この時の光学ヘッド２２内での波面収差量は使用波長λに対して最大０．３３λ（０．３３λ以下）になるように光学設計されている。
【００１５】
コントローラ２９は光ディスク１１に対して管理情報（マネジメントデータ）を記録したり、管理情報の内容を変更したりする機能や、光ディスク１１に設けられたさまざまな領域に適切な情報を記録し、光ディスク１１をフォーマットするフォーマット処理機能を有している。コントローラ２９はＰＣ等のホスト装置１０に接続され、ホスト装置１０からの種々の指示に従い動作する。種々の指示の中には、フォーマット処理開始コマンドやフォーマット処理中止コマンドが含まれる。このように本実施形態の光ディスク装置１２は後述の管理情報の交代処理やフォーマット処理の手順を実現する機能を有している。
【００１６】
さらにコントローラ２９は再生した管理情報、索引情報の処理機能を有しており、管理情報や索引情報に保存されたシリアル番号やディフェクト情報から最新の管理情報を決定することが可能である。フォーマット処理に関する情報からフォーマット処理の状態、完了しているか否か、中止されたか否か等を判定することができる。
【００１７】
＜光ディスク＞
次に、本発明の実施形態に係る情報記録装置が扱う光ディスク１１について詳細に説明する。本発明は一層のディスクでも多層のディスクでも適用可能であり、一例として図２に多層の光ディスク１１の模式図を示す。光ディスク１１は図２に示すように中心にチャッキング用のクランプ孔３１が設けられており、１以上の情報記録層（以下レイヤーと称する）を有している。光の入射面に最も近い側から順にレイヤー０（Ｌ０）、レイヤー１（Ｌ１）、…とする。２層の場合は、最も遠い側にレイヤー１（Ｌ１）が配置される。図示しないが、さらにレイヤーが増えた場合には、レイヤー１の奥側の層をレイヤー２、レイヤー３、…とする。レイヤーが一つの光ディスクは単層光ディスク、二つの光ディスクは２層光ディスクと呼ぶ。それぞれのレイヤーのレイアウトは若干異なっている。記録型の記録媒体である本発明のディスク１１には、記録マークを一箇所に一回だけ可能な追記型と、記録マークの上書きや消去が可能な書き換え型の２種類がある。
【００１８】
＜光ディスクのフォーマット＞
図３に本実施形態の光ディスク１１のエンボス領域と記録可能領域の物理仕様を示す。記録可能領域には記録可能管理領域、データ領域が含まれる。ここでは、物理仕様としての基準データ転送速度、光入射側ディスク基板厚さ、トラックピッチ、最短マーク長、回転制御方式、記録符号化方式がエンボス領域、記録可能領域についてそれぞれ記載されている。本実施形態の光ディスクでは、エンボス領域のトラックピッチと最短マーク長が記録可能領域のそれよりも大きくなっている。
【００１９】
回転制御方式のＣＬＶとはConstant liner velocityの略で、線方向の速度を一定に保った回転制御方法を意味している。ＥＴＭ(Eight to Twelve modulation)とは変調方式の一つで、８ビットの情報ビットを冗長性を持たせた１２ビットのチャネルビットに変換して信号を記録する方式である。この冗長性を持たせたことにより、直接情報ビットを光ディスク１１に記録する場合に比べて情報の記録再生の信頼度が飛躍的に向上している。
【００２０】
＜情報エリアのレイアウト＞
図４（ａ）に２層光ディスクの各レイヤーのレイアウトを示す。レイヤー０及びレイヤー１はほぼ同じ構成で領域が分割されている。ただし、ＢＣＡ(Burst cutting area)領域に関しては、レイヤー０もしくはレイヤー１のいずれか（ここでは、レイヤー１）のみに配置される。これは、ＢＣＡ領域からの情報の読み出しを安定化するためである。ＢＣＡ領域の信号の記録に用いられるＢＣＡマークは層間のクロストークが大きいため、ＢＣＡ領域を２つのレイヤーに用いると、相互の信号の干渉が発生し、情報の読みだしが困難になる。
【００２１】
レイヤー１の領域の構成は内周側からＢＣＡ領域、エンボス管理領域、内周側記録可能管理領域、データ領域、外周側記録可能管理領域に区分されている。レイヤー０の領域の構成は内周側からエンボス管理領域、内周側記録可能管理領域、データ領域、外周側記録可能管理領域に区分されている。レイヤー０のエンボス管理領域と内周側記録可能管理領域はリードイン領域とも呼ばれ、レイヤー０及びレイヤー１の外周側記録可能管理領域はミドル領域とも呼ばれ、レイヤー１のエンボス管理領域と内周側記録可能管理領域はリードアウト領域とも呼ばれる。
【００２２】
ＢＣＡ領域には、基板の溝や、反射膜の剥離、記録媒体の変化によってＢＣＡマークがあらかじめ記録されている。ＢＣＡマークは光ディスク１１の円周方向に変調されており、半径方向には同一の情報が並ぶ櫛型のマークである。ＢＣＡマークはＲＺ変調方法により変調されて記録される。パルス幅が狭い（＝反射率の低い）パルスは変調されたＢＣＡコードのチャネルクロック幅の半分よりも狭い必要が有る。ＢＣＡマークは半径方向に同一の形状を持っているためトラッキングをかける必要がなく、フォーカスをかけただけで情報の再生が可能となる。
【００２３】
エンボス管理領域にはエンボスピットの形で情報が記録されている。この情報はディスクの識別情報やデータ領域の容量といった光ディスク１１の管理情報を含む。この領域のエンボスピットの最短マーク長はデータ領域の倍の値になっている。この結果、通常のデータ領域はＰＲＭＬ方式を用いて再生されるが、エンボス管理領域においてはスライス方式を用いても情報の復調が可能となるに加えて情報の読み取りの信頼性が高くなるという特徴がある。エンボス管理領域にはディスクの情報読み出しの基本となる管理情報や、コピー権マネジメントの情報等が記録されるため、エンボス管理領域の読み取り信頼性を高めることは重要である。
【００２４】
次に、記録可能管理領域にはデータ領域と同じように案内溝であるグルーブが形成されている。この領域にはデータ領域と同じ密度で信号の記録の記録を行う。この領域には試し書き領域やデータ領域の記録状態を把握するための記録マネジメント領域、ＤＰＤトラッキング用のトラッキングオーバーラン領域、層間のクロストーク量を一定に保つためのガードトラック領域等が配置される。
【００２５】
データ領域には映像データやユーザデータといったデータ等が記録される。
【００２６】
図４（ｂ）には単層光ディスクのレイアウトを示す。単層のレイアウトは２層ディスクのレイヤー１のレイアウトと同じである。ただし、エンボス管理領域と内周側記録可能管理領域がリードイン領域と呼ばれ、外周側記録可能管理領域がリードアウト領域と呼ばれ、ミドル領域は存在しない。
【００２７】
＜詳細レイアウト＞
図５に本発明の実施形態の一つである２層光ディスクの記録可能領域の詳細なレイアウトの一例を示す。レイヤー０の内周側記録可能管理領域（以下、リードイン領域と称する）には内側から順に第１ブランク領域Ｚ１、第１ガードトラック領域Ｚ２、第１ドライブテスト領域Ｚ３、第１ディスクテスト領域Ｚ４、第２ブランク領域Ｚ５、記録マネジメントデータ複製領域Ｚ６、記録マネジメント領域Ｚ７、Ｒ物理フォーマット情報領域Ｚ８、リファレンスコード領域Ｚ９が設定されている。
【００２８】
レイヤー１の内周側記録可能管理領域（以下、リードアウト領域と称する）には内側から順に第５ブランク領域Ｚ２３、第４ディスクテスト領域Ｚ２２、第４ドライブテスト領域Ｚ２１、第４ガードトラック領域Ｚ２０が配置されている。
【００２９】
ブランク領域は境界を分離する、あるいは記録領域の層間のクロストーク量を一定にする目的で配置されており、データを全く記録しない領域である。この記録領域の層間のクロストーク量を一定にする領域（ブランク領域）をクリアランスとも呼ぶ。ガードトラック領域は、ＤＰＤトラッキングのオーバーラン対策や層間クロストーク対策の為にダミーデータが記録される領域である。ドライブテスト領域やディスクテスト領域は、光ディスク１１に管理情報やユーザデータを記録する前に、記録波形を最適化するための試し書きをする領域である。記録マネジメント領域及び記録マネジメントデータ複製領域は、データ領域に記録中のデータの状態を管理するためのマネジメント情報が記録される領域である。
【００３０】
レイヤー０の第１ガードトラック領域Ｚ２、第１ドライブテスト領域Ｚ３はエンボス管理領域のクロストークを避けるため、エンボス管理領域からクリアランス（第１ブランク領域Ｚ１）の分だけ離れた位置に配置されている。そして、レイヤー０の第１ドライブテスト領域Ｚ３，第１ディスクテスト領域Ｚ４と記録マネジメントデータ複製領域Ｚ６，記録マネジメント領域Ｚ７とは狭い第２ブランク領域Ｚ５を挟んで近接して配置されており、これらの領域はレイヤー１の第４ガードトラック領域Ｚ２０と重なるように設けられている。そして、レイヤー１の第４ガードトラック領域Ｚ２０は、レイヤー０の第１ドライブテスト領域Ｚ３，第１ディスクテスト領域Ｚ４の幅と記録マネジメントデータ複製領域Ｚ６，記録マネジメント領域Ｚ７の幅の合計に対して、両側のクリアランスの分だけ広い幅となっている。一方、レイヤー１の第４ドライブテスト領域Ｚ２１，第４ディスクテスト領域Ｚ２２は、レイヤー０の第１ガードトラック領域Ｚ２と重なるように設けられており、両側のクリアランスの分だけレイヤー０の第１ガードトラック領域Ｚ２より幅が狭くなっている。
【００３１】
光ディスク装置１２は第１ガードトラック領域Ｚ２に対してはユーザデータの記録とは関係なく均一にダミーデータの記録をしたり、未記録のまま保持したりしておく。このように本実施形態に係る光ディスク装置１２では、第４ドライブテスト領域Ｚ２１，第４ディスクテスト領域Ｚ２２と重なる反対の層の状態、記録マネジメント領域Ｚ６，記録マネジメントデータ複製領域Ｚ７と重なる反対の層の状態が常に記録状態か未記録状態かの一定の状態とすることで、安定した試し書きや、マネジメント情報の記録が可能になるという特徴がある。
【００３２】
次に、レイヤー０の外周側記録可能管理領域（以下、ミドル領域と称する）には内側から順に第２ガードトラック領域Ｚ１１、第２ドライブテスト領域Ｚ１２、第２ディスクテスト領域Ｚ１３、第３ブランク領域Ｚ１４が配置される。同様に、レイヤー１の外周側記録可能管理領域（以下、ミドル領域と称する）には内側から順に第３ガードトラック領域Ｚ１８、第３ドライブテスト領域Ｚ１７、第３ディスクテスト領域Ｚ１６、第４ブランク領域Ｚ１５が配置される。
【００３３】
リードイン領域、リードアウト領域と同様に、レイヤー０の第３ドライブテスト領域Ｚ１７，第３ディスクテスト領域Ｚ１６と重なる反対側のレイヤー１には第２ガードトラック領域Ｚ１１が配置されており、第２ガードトラック領域Ｚ１１の幅は第３ドライブテスト領域Ｚ１７，第３ディスクテスト領域Ｚ１６の幅の両側にクリアランスの幅を設けた幅よりも広くなっている。
【００３４】
レイヤー０のリードイン領域とミドル領域の間はデータ領域Ｚ１０であり、レイヤー１のリードアウト領域とミドル領域の間はデータ領域Ｚ１９である。
【００３５】
図６に本発明の実施形態の一つである単層光ディスクの記録可能領域の詳細なレイアウトの一例を示す。内周側記録可能管理領域（リードイン領域）には内側から順に第１ガードトラック領域Ｙ１、第１ドライブテスト領域Ｙ２、第１ディスクテスト領域Ｙ３、第２ガードトラック領域Ｙ４、記録マネジメントデータ複製領域Ｙ５、記録マネジメント領域Ｙ６、Ｒ物理フォーマット情報領域Ｙ７、リファレンスコード領域Ｙ８が設定されている。外周側記録可能管理領域（リードアウト領域）には内側から順に第３ガードトラック領域Ｙ１０、第２ドライブテスト領域Ｙ１１、第２ディスクテスト領域Ｙ１２、第４ガードトラック領域Ｙ１３が配置される。
【００３６】
リードイン領域とリードアウト領域の間はデータ領域Ｙ９である。
【００３７】
＜記録可能管理領域の構成＞
図５に示した２層光ディスクのリードイン領域内の記録マネジメントデータ複製領域Ｚ６、記録マネジメント領域Ｚ７、及びＲ物理フォーマット情報領域Ｚ８、あるいは図６に示した１層光ディスクのリードイン領域内の記録マネジメントデータ複製領域Ｙ５、記録マネジメント領域Ｙ６、及びＲ物理フォーマット情報領域Ｙ７の詳細な構成を図７に示す。記録マネジメントデータ複製領域Ｚ６の最初のブロックにはリードイン記録マネジメントデータ（ＲＤＺリードイン）が記録される。次の７ブロックには記録マネジメントデータ（ＲＭＤ）の複製を記録する領域が割り当てられている。１つのＲＭＤは３２の物理セクタで構成された１つのＰＳブロックに保存される。各物理セクタには物理セクタ番号（ＰＳＮ）というアドレスが設定されている。記録マネジメント領域Ｚ７にはこのＲＭＤが順次記録される。ＲＤＺリードインは光ディスク装置１２が記録マネジメント領域Ｚ７に最初にデータを記録する際に記録する情報である。ＲＤＺリードインの中には図８に示すように、記録を行う光ディスク装置１２の製造会社の識別番号である記録再生装置製造会社識別番号（バイト位置ＢＰ０〜ＢＰ３１）や、その装置のシリアル番号（ＢＰ４０〜ＢＰ５５）、モデル番号（ＢＰ６４〜ＢＰ７９）、ディスク固有番号（ＢＰ８８〜ＢＰ１０５）、ファームウエアバージョン番号（ＢＰ１１２〜ＢＰ１２７）が記録される。ディスク固有番号にはディスク識別用にディスク毎に固有な番号を光ディスク装置１２が記録する。
【００３８】
記録マネジメントデータ複製領域Ｚ６には、記録マネジメント領域Ｚ７が拡張された場合やファイナライズされた場合、ディスクが光ディスク装置１２から取り出された場合などに、記録マネジメント領域Ｚ７に記録した最新のＲＭＤの複製を記録しておく。本実施形態では、記録マネジメントデータ複製領域Ｚ６には、＃０から＃６番までの７つのＲＭＤの複製を保存しておくことが可能である。
【００３９】
記録マネジメント領域Ｚ７には、データ領域の記録状態を表す記録マネジメントデータ（ＲＭＤ）を１ＰＳブロックもしくは数ＰＳブロックを１セットにして、データの内容が変化する毎に逐次記録していく。追記型ディスクでは情報の上書きができないため、記録マネジメントデータの重要な内容が更新されるたびに、次の未使用ブロックに次々に情報が追記されていく。従って、最も外周にある情報が最新の記録マネジメントデータということになる。一方、書き換え型のディスクでは追記型と同様に、記録マネジメントデータの重要な内容が更新される毎に次の未使用ブロックに次々に情報を追記していくが、記録マネジメント領域の最後まで記録が到達した場合には、再び最内周側から記録を開始する。本実施形態では４つのＲＭＤを一つのセットであるＲＭＤ  ｓｅｔとして管理する。記録マネジメント領域Ｚ７には＃０から＃９７までの９８個のＲＭＤ  ｓｅｔを記録することが可能である。ＲＭＤ  ｓｅｔ内のＲＭＤはそれぞれ、後述のＲＭＤ  ｓｅｔ番号とＲＭＤオーダー番号を除いて等しい値となっており、セット内のいくつかのＲＭＤに読み取りエラーが発生しても、残りのＲＭＤから管理情報の読み出しが可能となっている。ＲＭＤ  ｓｅｔは＃０から順に、内容が更新されるたびに、＃１、＃２と使用され、書き換え型の場合には＃９７の次には、＃０が再び使用される
このように、本実施形態の光ディスクでは、ＲＭＤ  ｓｅｔが管理情報として機能し、記録マネジメントデータ複製領域Ｚ６に複製されるＲＭＤ  ｓｅｔの一部であるＲＭＤは索引情報として機能する。ＲＭＤ  ｓｅｔは光ディスクの記録状態が変更された場合や、ディフェクトが発生し交代処理が行われた場合に記録される位置が変化していく。従って、記録マネジメント領域Ｚ７には最大９７回の履歴情報が残ると言う特徴がある。一方、９８個のＲＭＤ  ｓｅｔから最新の情報を検索するためには時間を必要とするが、本実施形態の光ディスクでは記録マネジメントデータ複製領域Ｚ６にＲＭＤ（複製）が記録されているため、最大７個のＲＭＤを再生するだけで最新のＲＭＤ  ｓｅｔの位置が判明し、最新の情報を検索するための時間が短縮できると言う特徴がある。
【００４０】
Ｒ物理フォーマット情報領域Ｚ８には＃０から＃６までの７個の物理フォーマット情報（ＰＦＩ）を保存することが出来る。この７個の物理フォーマット情報の内容はすべて同じ内容である。物理フォーマット情報は光ディスク装置１２がディスクに情報を記録する過程で記録可能管理領域の一部であるＲ物理フォーマット情報領域Ｚ８に記録する情報である。データエリア構造情報及びボーダーゾーンの開始物理セクタ番号を除く情報はエンボス管理領域にあらかじめ保存されたフォーマット情報からコピーされる。残りの情報はデータ領域の記録状態に関する情報であり、ユーザデータが物理アドレスの何番地から記録されており何番地で終了するかが記録されている。終了番地が００ｈで埋められている場合には、そのディスクが再生専用機で再生可能な状態であるファイナライズ状態となっていないことを示している。一般的な再生専用機は記録マークを利用したＤＰＤという方式のトラッキング制御を行っているため、記録型ディスクの未記録領域にはアクセスできず、連続した記録マークにのみアクセス可能である。従って、記録領域の端の部分である記録マネジメント領域のアクセスは保証できず、この物理フォーマット情報は再生可能な最内周の領域となる。ファイナライズ状態とは物理フォーマット情報に記録されたユーザデータが終了する番地までデータが連続して記録されており、さらにその次に連続して外周側のオーバーラン領域が記録されている状態を意味している。この状態であれば、ＤＰＤトラッキング方式を採用している再生専用機であっても、物理フォーマット情報から最後のユーザ情報までを再生することが可能となる。
【００４１】
図９（ａ）にＲ物理フォーマット情報領域Ｚ８に保存される物理フォーマット情報（ＰＦＩ）の構成を示す。ＰＦＩは２０４８バイトで構成されている。
【００４２】
ブックタイプ（ＢＰ０）は光ディスクのフォーマット及び再生専用、追記型、書き換え型等を示す識別子である。パートバージョン（ＢＰ０）はそのフォーマットのバージョン管理情報である。
【００４３】
ディスクサイズ（ＢＰ１）にはそのディスクの直径を示す情報が記録される。例えば１２ｃｍのディスクであれば００００ｂ、８ｃｍのディスクであれば０００１ｂが記録される。最大転送レート（ＢＰ１）にはディスクに記録されたデータを正常に再生するのに必要となる最大の転送レートが必要に応じて記録される。
【００４４】
ディスク構造（ＢＰ２）にはそのフォーマットのレイヤーの数、各レイヤーでトラックが内周側から外周側に向かっているか、あるいは内周側に向かっているかの極性を示す情報、そのレイヤーが再生専用、追記型、あるいは書き換え型であるかといった情報が記録される。
【００４５】
記録密度（ＢＰ３）にはディスク接線方向の密度とトラックピッチを表す情報が記録される。
【００４６】
データエリア構造（ＢＰ４〜ＢＰ１５）には図９（ｂ）に示されるようにデータ領域に形成されたＲＺｏｎｅの範囲（開始ＰＳＮ、終了ＰＳＮ、レイヤー０のＲＺｏｎｅの最終ＰＳＮ）が記録される。
【００４７】
ＢＣＡ識別子（ＢＰ１６）にはＢＣＡがあるか無いかを示す情報を記録する。
【００４８】
記録可能速度識別情報（ＢＰ１７〜ＢＰ２６）にはそのディスクに対して記録が可能な記録速度を表す情報が記録される。
【００４９】
拡張パートバージョン（ＢＰ２７）にはパートバージョンの拡張情報を記録する。
【００５０】
最大再生スピード（ＢＰ３２）にはディスクに記録されたデータを正常に再生するのに必要となる最大の線速度が記録される。
【００５１】
レイヤー情報（ＢＰ３３）にはレイヤー０及びレイヤー１に配置されたディスクの種類が記録される。
【００５２】
マーク極性情報（ＢＰ１２８）には記録マークの反射率が未記録部に対して高いか低いかを示す情報が記録されている。ここが００００００００ｂであれば記録マークの反射率は未記録部より高く、ここが１０００００００ｂであれば記録マークの反射率が未記録部よりも低いことを示す。
【００５３】
標準速度情報（ＢＰ１２９）には標準の記録速度が記録される。例えば本実施形態の光ディスク１１では６．６ｍ／ｓとなる。
【００５４】
リム強度情報（ＢＰ１３０）には後述の記録波形情報を決定した際のＰＵＨのリム強度の値を記録する。
【００５５】
再生パワー情報（ＢＰ１３２）にはデータ領域を再生する場合に必要な再生パワーの値を指定する。
【００５６】
実効記録スピード情報（ＢＰ１３３〜ＢＰ１４８）にはそのディスクが対応可能な記録スピードの実際の値がすべて記録されている。
【００５７】
データ領域反射率Ｌ０（ＢＰ１４９）にはレイヤー０のデータ領域にデータを記録した後の反射率が示されている。マーク極性情報が００００００００ｂであればマーク部の反射率が、１０００００００ｂであれば非マーク（スペース）部の反射率が記録される。
【００５８】
プッシュプル信号振幅情報Ｌ０（ＢＰ１５０）にはレイヤー０のプッシュプル信号を和信号で正規化した値と記録再生を行うトラックを示すトラック情報とが記録される。トラック情報が０ｂである場合は信号の記録再生はグルーブで実施することになり、１ｂである場合にはランドで実施することになる。
【００５９】
オントラック信号情報Ｌ０（ＢＰ１５１）はレイヤー０のデータ領域の未記録部の和信号レベルをエンボス管理領域の最大反射レベルで規格化した値が記録される。
【００６０】
データ領域反射率情報Ｌ１（ＢＰ１５２）、プッシュプル信号振幅情報Ｌ１（ＢＰ１５３）、オントラック信号情報Ｌ１（ＢＰ１５４）までのバイトにはレイヤー１の情報がそれぞれ記録される。
【００６１】
記録波形情報Ｌ０（ＢＰ５１２〜ＢＰ５３９）及びＬ１（ＢＰ５４０〜ＢＰ５６７）にはディスク製造メーカが推奨するレイヤー０及びレイヤー１の最適な記録波形情報がそれぞれ記録される。これらは記録波形のピークパワーの値やボトムパワーの値、先頭、中間、最終パルスの開始終了位置などの値である。これらの情報は基本的にデータエリア構造を除いてエンボス管理領域に記録されている情報と同一の情報となっている。
【００６２】
データエリア構造（ＢＰ４〜ＢＰ１５）はデータ領域に形成されたＲＺｏｎｅの範囲によって値が変化する。ＲＺｏｎｅはデータ領域の先頭から形成されるため、図９（ｂ）に示すように、ＢＰ５〜ＢＰ７にはデータ領域の開始物理セクタ番号（ＰＳＮ）が保存され、ＢＰ９〜ＢＰ１０にはＲＺｏｎｅの最終の物理セクタ番号（ＰＳＮ）が保存される。ＢＰ１３〜ＢＰ１５には光ディスクが２層の記録層を有するディスクである場合にはＬ０のＲＺｏｎｅの最終の物理セクタ番号（ＰＳＮ）が保存される。単層の場合には０データが保存される。
【００６３】
＜記録マネジメントデータの内容＞
図１０に記録マネジメントデータ（ＲＭＤ）の構成を示す。記録マネジメントデータは３２セクタで構成されており、はじめのセクタであるセクタ０は予備とされ、通常すべて０のデータが保存されている。セクタ１からセクタ３１に順にフィールド０からフィールド３０が割り当てられている。
【００６４】
ＲＭＤのフィールド０にはディスクの状態やＲＭＤ自身の位置を示す情報などのディスク共通情報が保存される。図１１（ａ）に二層ディスクのＲＭＤのフィールド０の内容（ディスク共通情報）の例を示す。
【００６５】
ＲＭＤ記録形式識別子（ＢＰ０〜ＢＰ１）にはＲＭＤのデータの記録形式を示す情報が記録される。ＨＤ  ＤＶＤ−Ｒには０００１ｈが、ＨＤ  ＤＶＤ−ＲＷには０００２ｈが記録される。
【００６６】
ディスク状態情報（ＢＰ２）には次に述べるような定義でディスクの状態を示す値が記録される。
【００６７】
００ｈはディスクがエンプティ（空）状態であることを示す。
【００６８】
０８ｈはディスクが記録モードＵ中であることを示す。
【００６９】
１１ｈはシーケンシャルフォーマッティングモードのフォーマット動作が進行中であることを示す。
【００７０】
１２ｈはディスクがシーケンシャルフォーマッティングモードのファイナライズ状態であることを示す。
【００７１】
１３ｈはディスクがシーケンシャルフォーマッティングモードのインターミディエイト状態であることを示す。
【００７２】
２１ｈはフラグメントレコーディングモードのフォーマット動作が進行中であることを示す。
【００７３】
２２ｈはディスクがフルファイナライズ状態であることを示す。
【００７４】
２３ｈはディスクがフラグメントレコーディングモードのインターミディエイト状態であることを示す。
【００７５】
９２ｈはディスクがシーケンシャルフォーマッティングモードのファイナライズ状態と、書き込み禁止状態であることを示す。
【００７６】
９３ｈはディスクがシーケンシャルフォーマッティングモードのインターミディエイト状態と、書込み禁止状態であることを示す。
【００７７】
Ａ２ｈはディスクがフルファイナライズ状態と書き込み禁止状態であることを示す。
【００７８】
Ａ３ｈはディスクがフラグメントレコーディングモードのインターミディエイト状態と、書込み禁止状態であることを示す。
【００７９】
他はリザーブされている。
【００８０】
ユニークディスクＩＤ（ＢＰ４〜ＢＰ２１）には図８と同様な内容が記録される。
【００８１】
データエリア構造（ＢＰ２２〜ＢＰ３３）には光ディスクのユーザデータ記録可能領域、即ちデータ領域の開始ＰＳＮや終了ＰＳＮを記録する。
【００８２】
更新データエリア構造（ＢＰ３４〜ＢＰ４５）には後述のミドル領域拡張フォーマットを実行した際などに光ディスク１１の記録可能領域が変化した場合、その範囲を記録する。図１１（ｂ）に更新データエリア構造（ＢＰ３４〜ＢＰ４５）の詳細な内容を示す。更新識別子（ＢＰ３４）にはデータエリア構造を更新したか否かを示すフラグを記録する。例えば、更新されていない場合は００ｈ、ミドル領域拡張によりデータエリアの構造が更新されている場合は０１ｈを記録する。
【００８３】
パディング状態情報（ＢＰ４６〜ＢＰ４７）は、情報の各ビットが図５や図６に示す光ディスク１１の各エリアと対応しており、対応したエリアがパディング済みの場合はそのビットを１ｂに、パディングが済んでいない場合は０ｂに設定する。
【００８４】
ＲＭＤ初期化識別子（ＢＰ４８）は、ＲＭＤ初期化が実行された場合には１ｂが設定され、光ディスク１１がＲＭＤ初期化されたことがあるか否かを判定することに利用される。
【００８５】
ＲＭＤ位置情報（ＢＰ１２８〜ＢＰ１３１）は、ＲＭＤオーダー番号、ＲＤＭシリアル番号、ＲＭＤ  ｓｅｔ番号で構成されている。ＲＭＤオーダー番号はＲＭＤ  ｓｅｔ内のＲＭＤの順序を示す番号であり、ディスクの内周側から０、１、２、３の番号が付けられている。ＲＭＤシリアル番号はＲＭＤの更新回数を示す情報であり、はじめのＲＭＤの記録ではこのシリアル番号を０とし、ＲＭＤの内容を書き換えてＲＭＤを更新するたびに１ずつ増加させていく。ＲＭＤ  ｓｅｔ番号は記録マネジメント領域内のＲＭＤ  ｓｅｔの位置を示す情報であり、図７に示すように記録マネジメント領域の最内周を＃０とし、順に＃９７まで番号が振られている。書き換え型ディスクでは記録マネジメント領域を繰り返し使用するため、もっとも外周にある情報が最新の記録マネジメントデータとは限らない。従って、この記録マネジメントデータを更新した回数であるＲＭＤシリアル番号が最大のものを検索することで最新の記録マネジメントデータを決定することが可能となる。
【００８６】
図１２に一層ディスクのＲＭＤのフィールド０の内容（ディスク共通情報）の例を示す。一層ディスクはミドル領域が存在しないので、図１１に示した二層ディスクの更新データエリア構造（ＢＰ３４〜ＢＰ４５）が予備になっている。これ以外は、図１１と図１２は同じである。
【００８７】
図１０に示すように、ＲＭＤのフィールド１にはドライブが使用したドライブテスト領域の位置、最適化した記録波形、記録波形最適化の為の目標値などの最適記録波形情報が保存される。
【００８８】
ＲＭＤのフィールド２にはユーザが指定した任意の情報が保存される。
【００８９】
ＲＭＤのフィールド３には実施中のフォーマットの内容を示すフォーマット動作コードや、データ領域がボーダーという単位に分割されている場合には、ボーダーの開始位置、終了位置を示す情報（フォーマット状態管理及び記録状態管理情報）が保存される。
【００９０】
図１３にＲＭＤのフィールド３のフォーマット状態管理及び記録状態管理情報を示す。フィールド３は一層ディスクも二層ディスクも同じである。本実施形態では、フィールド３には処理中もしくは処理後のフォーマット動作に関する情報が記録される。
【００９１】
フォーマット動作コード（ＢＰ０）には処理中もしくは処理後のフォーマット動作に割り当てられた動作コードが記録される。フォーマット動作がファイナライズの場合は、フォーマット情報１（ＢＰ２〜ＢＰ５）にはフォーマットが実施済みの最後のＰＳＮが記録される。フォーマット動作がファイナライズの場合は、フォーマット情報２（ＢＰ６）にはフォーマット情報１に保存されたＰＳＮが存在する領域を示すコードが保存される。例えば、フォーマットが実行済みの最終ＰＳＮがＲＺｏｎｅ内であったら０１ｈ、ターミネータ内であったら０３ｈ、パディングゾーン内であれば０４ｈ、ミドル領域内であれば１０ｈ、データリードイン領域内であれば２０ｈ、データリードアウト領域内であれば３０ｈといった具合である。
【００９２】
図１４にフォーマット動作コードとフォーマット情報１、フォーマット情報２の関係を示す。図１４中の各用語の定義は以下である。
【００９３】
フォーマット領域の現在のＰＳＮ：進行中のフォーマット動作が実行された最後のＰＳＮを指定する情報であり、このフィールドが００ｈであれば、無効化される。
【００９４】
現在のフォーマット領域：進行中のフォーマット動作が実行されたゾーンあるいは領域を指定する情報であり、このフィールドは以下のようにゾーンあるいは領域を指定する。
【００９５】
０１ｈ：Ｒｚｏｎｅ
０３ｈ：ターミネータ
０４ｈ：パッディングゾーン
１０ｈ：ミドル領域
２０ｈ：データリードイン領域
３０ｈ：オリジナルデータリードアウト領域
その他；予備
図１０に示すように、ＲＭＤのフィールド４にはデータ領域の中でフォーマットもしくはユーザデータが記録された領域であるＲＺｏｎｅの開始位置と終了位置を示すフォーマット領域管理情報が保存される。
【００９６】
フィールド５には記録マネジメントデータ複製領域、記録マネジメント領域、Ｒ物理フォーマット情報領域内のＰＳブロックがディフェクトであるかディフェクトではないかを示すディフェクト情報が保存されている。
【００９７】
フィールド６以降はデータ領域の各ＰＳブロックに対応したビットマップ（記録領域管理情報）が保存されている。このビットマップではデータ領域内の対応したＰＳブロック群にデータが記録されていればそのビットには１ｂを、記録領域内の対応したＰＳブロック群にデータが記録されていないか、あるいはデータ以外のものが記録されていればそのビットには０ｂを設定する。記録領域管理情報（ビットマップ）のサイズはデータ領域のサイズによって変化し、ＲＭＤの残りの領域は予備としてすべて０のデータが保存される。
【００９８】
図１５にＲＭＤのフィールド５の内容を示す。バイト内の各ビットが各領域のＰＳブロック、もしくはＲＭＤ  ｓｅｔと対応しており、そのＰＳブロック、もしくはＲＭＤ  ｓｅｔがディフェクトと判定された場合には１ｂがセットされる。通常は０ｂである。
【００９９】
例えば、図７に示すように記録マネジメントデータ複製領域Ｚ６は＃０から＃６までのＰＳブロックがあり、１バイトのビットマップが割り当てられている。従って、ビットマップは＃０から＃６までがディフェクト状態を示す情報として利用され、残りの１ビット、即ち図１５の＃７の位置は予備として常に０ｂが保存される。
【０１００】
図１６に二層ディスクのＲＭＤのフィールド４のフォーマット領域管理情報を示す。フィールド４は一層ディスクも二層ディスクも同じである。本実施形態では、フィールド４には光ディスク１１のデータ領域の中でフォーマットされた領域であるＲＺｏｎｅの範囲が保存されている。ＲＺｏｎｅ番号（ＢＰ０〜ＢＰ１）には、ディスクに存在するＲＺｏｎｅの数が記録される。例えばディスクにＲＺｏｎｅが形成されていない場合には、この番号は００００ｈ、一つ存在する場合には０００１ｈとなる。ＲＺｏｎｅ開始ＰＳＮ（ＢＰ１６〜ＢＰ１９）とＲＺｏｎｅ終了ＰＳＮ（ＢＰ２０〜ＢＰ２３）にはそれぞれ、形成されたＲＺｏｎｅの最初のセクタのＰＳＮと最後のセクタのＰＳＮが記録される。
【０１０１】
ＲＺｏｎｅが存在する場合は、ＲＺｏｎｅ開始ＰＳＮは０４  ００００ｈとなる。ＲＺｏｎｅ開始ＰＳＮが００ｈである場合は、ディスクにＲＺｏｎｅが存在しない。ＲＺｏｎｅ終了ＰＳＮが００ｈである場合は、ディスクにＲＺｏｎｅが存在しない。
【０１０２】
図１７〜図２０は各種のフォーマット動作を示すフローチャートである。
【０１０３】
図１７は、クイックフォーマットの際のドライブの動作フローチャートを示す。クイックフォーマットとはデータ領域の最内周から外周方向に向かって指定されたサイズだけフォーマットする動作である。２層ディスクの場合のフォーマット方向はレイヤー０のデータ領域の最内周から外周方向、続いてレイヤー１のデータ領域の最外周から内周方向である。
【０１０４】
先ず、クイックフォーマット動作指示がホストコンピュータから発行される。ドライブでは動作準備ができていればクイックフォーマット動作を開始する。この動作はディスク状態がどのような状態でも実行される。
【０１０５】
ブロック１０１でＲＭＤのフィールド０のディスク状態情報ＢＰ２等を参照することによりディスクの記録状態がファイナライズまたはフルファイナライズ状態であるか否かを判断する。例えば、ＢＰ２はフルファイナライズ状態ならば２２ｈ、ファイナライズ状態ならば１２ｈである。
【０１０６】
ファイナライズ状態とフルファイナライズ状態との違いは、一部のデータ領域がフォーマットされているか、全部がフォーマットされているかの違いである。
【０１０７】
ディスクの記録状態がファイナライズまたはフルファイナライズ状態である場合は、ブロック１０２でＲＭＤ、ＰＦＩの順序でデータを記録する。記録するＲＭＤの内容は図２９に示す。ＰＦＩのＢＰ９−１１のＲＺｏｎｅの最終ＰＳＮには０を記録する。ファイナライズもしくはフルファイナライズ状態時はＢＰ９−１１はフォーマットサイズ（RZone）の最終PSNが、それ以外の時はＰＦＩ自体が未記録、または記録されている場合は“０”である。
【０１０８】
ブロック１０１でディスクの記録状態がファイナライズまたはフルファイナライズ状態のいずれでもない場合は、ブロック１０３でフォーマットする予定の領域内の記録状態をＲＭＤフィールド６以降のビットマップ（図１５参照）の値を読むことにより判定する。すなわち、ブロック１０３では、フォーマットする予定の領域内にビットマップの値が０のブロックがあるか否か判定する。
【０１０９】
フォーマットする予定の領域内を示すビットマップの値で０のビットがある場合は、ブロック１０４でクイックフォーマット中を示すＲＭＤを記録する。記録するＲＭＤの内容は図２９に示す。
【０１１０】
ブロック１０２、１０４の次にブロック１０５でフォーマットするブロックの数が奇数か否か判定し、奇数であれば、ブロック１０６で最後のブロックは例外となるように処理してから、フォーマット処理を開始する。この例外処理は１０８でのＲＭＤの記録の際に、ＲＭＤフィールド６以降のビットマップ内の、フォーマットする最後のブロックと次のブロックの記録状態を示すビット値は書き換えないようにする処理である。
【０１１１】
フォーマット処理では、ブロック１０７でフォーマットする予定の領域内を示すビットマップの値で０のビットが示すブロックにゼロデータを記録する。ブロックフォーマットする予定の領域内についてすべて記録が終了すると、ブロック１０８でフォーマット後のディスク状態を示す図３０に示す内容のＲＭＤを記録し、フォーマット動作を終了する。フォーマット動作後のディスク状態はシーケンシャルフォーマッティングモードのインターミディエイト状態になる。
【０１１２】
ブロック１０３でフォーマットする予定の領域内を示すビットマップの値で０を示すビットがない場合は、ブロック１０８で図３０の内容のＲＭＤを記録しフォーマット動作を終了する。
【０１１３】
図１８は、クイックグローフォーマットの際のドライブの動作フローチャートを示す。クイックグローフォーマットとは現在のフォーマット済み領域から外周方向に向かって指定されたサイズ分のデータ領域をフォーマットする動作である。２層ディスクの場合のフォーマット方向はレイヤー０のデータ領域の最内周から外周方向、続いてレイヤー１のデータ領域の最外周から内周方向である。
【０１１４】
先ず、クイックグローフォーマット動作指示がホストコンピュータから発行される。ドライブでは動作準備ができていればクイックグローフォーマットを開始する。クイックグローフォーマットはディスク状態がシーケンシャルフォーマッティングモードのインターミディエイト状態もしくはファイナライズ状態のときに有効である。さらに、２層ディスクの場合や、中間領域が拡張されている場合は、クイックグローフォーマットは無効である。
【０１１５】
そのため、ブロック２００でクイックグローフォーマットが有効な状態であるか否かを判定する。ディスクがシーケンシャルフォーマッティングモードのインターミディエイト状態またはファイナライズ状態であるか否かはＲＭＤのフィールド０のディスク状態情報ＢＰ２等を調べることにより判定できる。クイックグローフォーマットが無効である場合は、ブロック２００ａでホストに動作エラーを報告して終了する。
【０１１６】
クイックグローフォーマットが有効である場合は、ブロック２０１でＲＭＤのフィールド０のディスク状態情報ＢＰ２等を参照することによりディスクの記録状態がファイナライズまたはフルファイナライズ状態か否かを判断する。ディスクの記録状態がファイナライズまたはフルファイナライズ状態である場合は、ブロック２０２でＲＭＤ、ＰＦＩの順序で記録する。ＲＭＤのフィールド０のディスク状態情報ＢＰ２にはフォーマット中であることを示すデータ（１１ｈ）を記録する。ＲＭＤの内容を図３１に示す。ＰＦＩのＢＰ９−１１のＲＺｏｎｅの最終ＰＳＮには０を記録する。
【０１１７】
ブロック２０１でディスクの記録状態がファイナライズまたはフルファイナライズ状態ではない場合は、ブロック２０５でフォーマットする予定の領域内の記録状態をＲＭＤフィールド６以降のビットマップ（図１５）の値を読むことにより判定する。すなわち、ブロック２０５では、フォーマットする予定の領域内にビットマップの値が０のブロックがあるか否か判定する。
【０１１８】
フォーマットする予定の領域内を示すビットマップの値で０のビットがある場合は、ブロック２０６でクイックグローフォーマット中を示すＲＭＤを記録し、フォーマット処理を開始する。記録するＲＭＤの内容は図３１に示す。
【０１１９】
フォーマットする予定の領域内を示すビットマップの値で０を示すビットがない場合は、ブロック２０４でフォーマット後のディスク状態を示すＲＭＤを記録し、フォーマット動作を終了する。ＲＭＤの内容は図３２に示す。
【０１２０】
ブロック２０２、２０６の後に、ブロック２０３でフォーマットする予定の領域内を示すビットマップの値で０のビットが示すブロックにゼロデータを記録する。フォーマットする予定の領域内についてすべて記録が終了した後、ブロック２０４でフォーマット後のディスク状態を示すＲＭＤを記録し、フォーマット動作を終了する。ＲＭＤの内容を図３２に示す。
【０１２１】
図１９は、フルフォーマットの際のドライブの動作フローチャートを示す。フルフォーマットとはデータ領域の最内周から外周方向に向かって指定されたサイズ分のデータ領域をフォーマットしファイナライズする動作である。フルフォーマット動作は図１７に示すクイックフォーマット動作にターミネータ記録が付加されたものに等しい。２層ディスクの場合のフォーマット方向はレイヤー０のデータ領域の最内周から外周方向、続いてレイヤー１のデータ領域の最外周から内周方向である。先ず、フルフォーマット動作指示がホストコンピュータから発行される。ドライブでは動作準備ができていればフルフォーマット動作を開始する。この動作はディスク状態がどのような状態でも実行される。
【０１２２】
ブロック３０１でＲＭＤのフィールド０のディスク状態情報ＢＰ２等を参照することによりディスクの記録状態がファイナライズまたはフルファイナライズ状態か否かを判断する。ディスクの記録状態がファイナライズまたはフルファイナライズ状態である場合は、ブロック３０２でＲＭＤ、ＰＦＩの順序で記録する。ＲＭＤのフィールド０のディスク状態情報ＢＰ２にはフォーマット中であることを示すデータ（１１ｈ）を記録する。ＲＭＤの内容を図３３に示す。ＰＦＩのＢＰ９−１１のＲＺｏｎｅの最終ＰＳＮには０を記録する。
【０１２３】
ブロック３０１でディスクの記録状態がファイナライズまたはフルファイナライズ状態ではない場合は、ブロック３０６でフォーマットする予定の領域内の記録状態をＲＭＤフィールド６以降のビットマップ（図１５）の値を読むことにより判定する。すなわち、ブロック３０６では、フォーマットする予定の領域内にビットマップの値が０のブロックがあるか否か判定する。
【０１２４】
フォーマットする予定の領域内を示すビットマップの値で０のビットがある場合は、ブロック３０７でフルフォーマット中を示すＲＭＤを記録し、フォーマット処理を開始する。ＲＭＤの内容は図３３に示す。フォーマットする予定の領域内を示すビットマップの値で０を示すビットがない場合は、ブロック３０４へと進む。
【０１２５】
ブロック３０２、３０７の後のブロック３０３ではフォーマットする予定の領域内を示すビットマップの値で０のビットが示すブロックにゼロデータを記録する。フォーマットする予定の領域内についてすべて記録が終了した後、ブロック３０４でフォーマット領域の次のアドレスからターミネータを記録する。その後、ブロック３０５でリファレンスコード領域Ｙ８を記録し、ＰＦＩを記録する。ＰＦＩのＢＰ９−１１のＲＺｏｎｅの最終ＰＳＮにはフォーマット完了したエリアの最終ＰＳＮを記録する。図３４に示す内容のＲＭＤを記録し、フォーマット動作を終了する。もともとのデータエリアすべてをフォーマットした場合はフルファイナライズ状態のディスクになる。２層ディスクの場合は、第４ガードトラック領域Ｚ２０をさらに記録しフォーマット動作を終了する。
【０１２６】
図２０は、グローフォーマットの際のドライブの動作フローチャートを示す。グローフォーマットとは現在のフォーマット領域から外周方向に向かって指定されたサイズ分のデータ領域をフォーマットする動作である。２層ディスクの場合のフォーマット方向はレイヤー０のデータ領域の最内周から外周方向、続いてレイヤー１のデータ領域の最外周から内周方向である。
【０１２７】
先ず、グローフォーマット動作指示がホストコンピュータから発行される。ドライブでは動作準備ができていればフォーマットを開始する。グローフォーマットはディスク状態がファイナライズ状態のときに有効である。さらに、２層ディスクの場合や、中間領域が拡張されている場合は、このグローフォーマットは無効である。
【０１２８】
そのため、ブロック４００で、グローフォーマットが有効な状態であるか否かを判定する。ディスクがファイナライズ状態であるか否かはＲＭＤフィールド０のディスク状態情報（ＢＰ２）を調べることにより判定できる。グローフォーマットが無効である場合は、ブロック４００ａでホストに動作エラーを報告して終了する。グローフォーマットが有効である場合は、ブロック４０１でＲＭＤ、ＰＦＩの順序で記録する。ＲＭＤの内容は図３５に示す。ＲＭＤのフィールド０のディスク状態情報ＢＰ２にはフォーマット中であることを示すデータ（１１ｈ）が記録される。ＰＦＩのＢＰ９−１１のＲＺｏｎｅの最終ＰＳＮには０を記録する。
【０１２９】
ブロック４０２ではフォーマットする予定の領域内を示すビットマップの値で０のビットが示すブロックにゼロデータを記録する。フォーマットする予定の領域内についてすべて記録が終了した後、ブロック４０３でフォーマット領域の次のアドレスからターミネータを記録する。ブロック４０４でＰＦＩ、ＲＭＤの順序で記録する。ＲＭＤの内容は図３６に示す。ＰＦＩのＢＰ９−１１のＲＺｏｎｅの最終ＰＳＮにはフォーマット完了したエリアの最終ＰＳＮを記録する。
【０１３０】
図２１、図２２は各種のクローズのフローチャートを示す。
【０１３１】
図２１は、ファイナライズの際のドライブの動作フローチャートを示す。ファイナライズとは記録可能ディスクを再生専用ディスク（ＨＤ  ＤＶＤ−ＲＯＭ）とほぼ同じデータ構造にする処理である。
【０１３２】
先ず、ファイナライズ動作指示がホストコンピュータから発行される。ドライブでは動作準備ができていればファイナライズ動作を開始する。この動作はディスク状態がシーケンシャルフォーマッティングモードのインターミディエイト状態のときに有効である。
【０１３３】
そのため、ブロック５００でＲＭＤフィールド０のディスク状態情報（ＢＰ２）を調べることによりディスク状態がシーケンシャルフォーマッティングモードのインターミディエイト状態であるか否かを判定する。インターミディエイト状態ではない時は、ブロック５００ａでホストにエラー報告をして終了する。
【０１３４】
インターミディエイト状態である時は、ブロック５０１でＲＭＤフィールド０のディスク状態情報（ＢＰ２）を調べることによりディスクがファイナライズまたはフルファイナライズ状態であるか否かを判定する。ファイナライズまたはフルファイナライズ状態である時は何も処理を行わずに終了する。ホストには動作完了を報告する。
【０１３５】
それ以外のディスク状態の場合には、ブロック５０２でＲＭＤを記録する。ＲＭＤの内容は図３５と同様である。フォーマット領域の次のアドレスからターミネータを記録するが、ターミネータはあるアドレス以上からしか記録できない。そのため、ブロック５０３でターミネータの記録できるアドレスよりフォーマット領域が小さいか否かを確認する。
【０１３６】
小さい場合にはターミネータを記録し始めるアドレスとフォーマット領域の間の記録状態を示すビットマップの値を確認し、０を示すビットがある場合には、ブロック５０４で０のビットが示すブロックにゼロデータを記録する。ターミネータを記録する予定の領域内についてすべてゼロデータの記録が終了した後、ブロック５０５でターミネータを記録する。その後、ブロック５０６でリファレンスコード領域Ｙ８を記録し、ＲＭＤ、ＰＦＩの順序で記録し、フォーマット動作を終了する。ＲＭＤの内容は図３６と同様である。ＰＦＩのＢＰ９−１１のＲＺｏｎｅの最終ＰＳＮにはフォーマット完了したエリアの最終ＰＳＮを記録する。２層ディスクの場合は、第４ガードトラック領域Ｚ２０をさらに記録しフォーマット動作を終了する。フォーマット動作後のディスク状態はファイナライズまたはフルファイナライズ状態になる。
【０１３７】
図２２は、フルファイナライズの際のドライブの動作フローチャートを示す。先ず、フルファイナライズ動作指示がホストコンピュータから発行される。ドライブでは動作準備ができていればフルファイナライズ動作を開始する。フルファイナライズはディスク状態がシーケンシャルフォーマッティングモードのインターミディエイト状態、ファイナライズ状態またはフラグメント記録モードのインターミディエイト状態のときに有効である。
【０１３８】
そのため、ブロック６００でフルファイナライズが有効な状態であるか否かを判定する。ディスクがシーケンシャルフォーマッティングモードのインターミディエイト状態、ファイナライズ状態またはフラグメント記録モードのインターミディエイト状態であるか否かはＲＭＤフィールド０のディスク状態情報（ＢＰ２）を調べることにより判定できる。フルファイナライズが無効である場合は、ブロック６００ａでホストに動作エラーを報告して終了する。
【０１３９】
フルファイナライズが有効である場合は、ブロック６０１でＲＭＤフィールド０のディスク状態情報（ＢＰ２）を調べることによりディスクの記録状態がファイナライズまたはフルファイナライズ状態か否かを判断する。もし、ディスクの記録状態がファイナライズまたはフルファイナライズ状態である場合は、ブロック６０２でディスクの記録状態がフルファイナライズ状態か否かを判断する。もし、ディスクの記録状態がフルファイナライズ状態である場合は、何も処理を行わずに終了する。ホストには動作完了を報告する。
【０１４０】
ブロック６０２でディスク状態がファイナライズ状態であると判断された場合は、ブロック６０８でＲＭＤ、ＰＦＩの順序で記録する。ＲＭＤの内容は図３５と同様である。ＰＦＩのＢＰ９−１１のＲＺｏｎｅの最終ＰＳＮには０を記録する。
【０１４１】
ブロック６０１でディスクの記録状態がファイナライズまたはフルファイナライズ状態ではないと判断された場合は、ブロック６０３でＲＭＤを記録する。ＲＭＤの内容は図３５と同様である。ブロック６０３の後のブロック６０４でデータ領域内の記録状態を示すビットマップ（図１５）中で０があるか否かを判断し、もしない場合はブロック６０６へ進む。もしある場合は、ブロック６０５でその部分のブロックにゼロデータを記録する。ブロック６０５はブロック６０８の後にも実行される。
【０１４２】
ブロック６０６ではターミネータを記録し、ブロック６０７ではリファレンスコード領域Ｙ８を記録し、ＰＦＩ、ＲＭＤの順序で記録し、フォーマット動作を終了する。ＰＦＩのＢＰ９−１１のＲＺｏｎｅの最終ＰＳＮにはフォーマット完了したエリアの最終ＰＳＮを記録する。ＲＭＤの内容は図３６と同様である。２層ディスクの場合は、第４ガードトラック領域Ｚ２０をさらに記録しフォーマット動作を終了する。フォーマット動作後のディスク状態はフルファイナライズ状態になる。
【０１４３】
図２３はバックグラウンドパディングの際のドライブの動作フローチャートを示す。先ず、バックグラウンドパディング動作指示がホストコンピュータから発行される。ドライブでは動作準備ができていればバックグラウンドパディング動作を開始する。バックグラントパディングはディスク状態がどの状態のときでも有効である。
【０１４４】
ブロック７０１でＲＭＤのフィールド０のディスク状態情報ＢＰ２を調べることによりディスクの記録状態がファイナライズまたはフルファイナライズ状態か否かを判定する。ディスクの記録状態がファイナライズまたはフルファイナライズ状態である場合は、ブロック７０２でディスクの記録状態がフルファイナライズ状態か否かを判定する。ディスクの記録状態がフルファイナライズ状態である場合は、何も処理を行わずに終了する。ホストには動作完了を報告する。
【０１４５】
ブロック７０２でディスク状態がファイナライズ状態であると判断された場合は、ブロック７０８でＲＭＤ、ＰＦＩの順序で記録する。ＲＭＤの内容を図３７に示す。その後、ブロック７０３でＲＭＤを記録する。ＲＭＤの内容を図３８に示す。
【０１４６】
ブロック７０１でディスクの記録状態がファイナライズまたはフルファイナライズ状態ではない場合は、ブロック７０３でＲＭＤを記録する。ＲＭＤの内容は図３８と同様である。なお、ブロック７０３はブロック７０８の後にも実行される。
【０１４７】
ブロック７０３の後のブロック７０４でデータ領域内の記録状態を示すビットマップ中で０があるか否かを確認する。ない場合はブロック７０６へ進み、ある場合はブロック７０５でその部分のブロックにゼロデータを記録する。ブロック７０６でターミネータを記録し、ブロック７０７でリファレンスコード領域Ｙ８を記録し、ＰＦＩ、ＲＭＤの順序で記録し、フォーマット動作を終了する。ＰＦＩのＢＰ９−１１のＲＺｏｎｅの最終ＰＳＮにはフォーマット完了したエリアの最終ＰＳＮを記録する。ＲＭＤの内容は図３６と同様である。２層ディスクの場合は、第４ガードトラック領域Ｚ２０をさらに記録しフォーマット動作を終了する。フォーマット動作後のディスク状態はフルファイナライズ状態になる。なお、バックグラウンドパディング中に記録要求、再生要求があった場合には処理を中止し、要求に応えた後、処理を再開する。
【０１４８】
図２４はミドル領域のサイズ変更動作フローチャートを示す。先ず、ミドル領域のサイズ変更指示がホストコンピュータから発行される。ドライブでは動作準備ができていればミドル領域のサイズ変更動作を開始する。この動作は２層ディスクに対してのみ有効で、かつディスク状態がシーケンシャルフォーマッティングモードのインターミディエイト状態かつフォーマット領域がレイヤー１まで達していない場合に有効である。
【０１４９】
そのため、ブロック８００でディスク状態がミドル領域のサイズ変更が有効な状態であるか否かを判定する。サイズ変更が無効である場合は、ブロック８００ａでホストに動作エラーを報告して終了する。
【０１５０】
サイズ変更が有効である場合は、ブロック８０１でＲＭＤフィールド０のディスク状態情報（ＢＰ２）を調べることによりディスクの記録状態がファイナライズまたはフルファイナライズ状態であるか否かを判定する。ディスクがファイナライズまたはフルファイナライズ状態である場合は、何も処理を行わずに終了する。ホストには動作完了を報告する。
【０１５１】
ブロック８０１でディスクの記録状態がファイナライズまたはフルファイナライズ状態ではないと判断された場合は、ブロック８０２でＲＺｏｎｅがレイヤー１まで到達していないか否か判定される。到達していない場合は、ブロック８０３でＲＭＤのフィールド０の更新データエリア構造ＢＰ３４〜４５のミドル領域のサイズを示す値を指示された値に変更して終了する。
【０１５２】
図２５、図２６は各種のブランク動作のフローチャートを示す。
【０１５３】
図２５は、フルブランクの際のドライブの動作フローチャートを示す。フルブランク動作は存在するデータをゼロデータで上書きすることにより、存在したデータを消去する動作である。先ず、フルブランク動作指示がホストコンピュータから発行される。ドライブでは動作準備ができていればフルブランク動作を開始する。この動作はディスク状態がどの状態のときでも有効である。
【０１５４】
ブロック９０１でＲＭＤフィールド６以降のビットマップの値を読むことにより記録状態を確認する。ビットマップの値で１のビットがない場合は終了する。ビットマップの値で１のビットがある場合は、ブロック９０２でそのビットが示すブロックにゼロデータを記録する。その後、ブロック９０３でビットマップの値が１のブロックと隣り合うビットマップの値が０のブロックにもゼロデータを記録する。その後、ブロック９０４でＲＭＤフィールド０のＢＰ２のディスク状態情報を調べて以前（ブランク動作を始める前）のディスク状態がファイナライズまたはフルファイナライズ状態であるか否かを確認する。
【０１５５】
以前のディスク状態がファイナライズまたはフルファイナライズ状態であれば、ブロック９０５でＲＭＤ、Ｒ−ＰＦＩの順序で記録する。ＲＭＤのフィールド０のディスク状態情報ＢＰ２にはエンプティ状態であることを示すデータ００ｈを記録し、ＰＦＩにはファイナライズ状態ではないことを示すデータを記録する（BP９-11の「RZone の最終PSN」を０にセット）。以前のディスク状態がファイナライズまたはフルファイナライズ状態以外であれば、ブロック９０６でＲＭＤのフィールド０のディスク状態情報ＢＰ２にはエンプティ状態であることを示すデータ００ｈを記録する。
【０１５６】
図２６は、ミニマリーブランクの動作フローチャートを示す。ミニマリーブランク動作はＲＭＤのフィールド０のディスク状態情報ＢＰ２をエンプティ状態のデータ００ｈに書き換える動作である。先ず、ミニマリーブランク動作指示がホストコンピュータから発行される。ドライブでは動作準備ができていればミニマリーブランク動作を開始する。この動作はディスク状態がどの状態のときでも有効である。
【０１５７】
ブロック１００１でＲＭＤのフィールド０のディスク状態情報ＢＰ２を調べることによりディスクの記録状態がファイナライズまたはフルファイナライズ状態か否かを判定する。ディスクの記録状態がファイナライズまたはフルファイナライズ状態である場合はブロック１００２でＲＭＤ、Ｒ−ＰＦＩの順序で記録する。ＲＭＤのフィールド３のフォーマット動作コードＢＰ０にはクリアユーザデータ中であることを示すデータ（値３）を記録し、ＰＦＩにはファイナライズ状態ではないことを示すデータを記録する（BP９-11の「RZone の最終PSN」にフォーマット後の情報（アドレス）をセットする）。その後、ブロック１００３でＲＭＤのフィールド０のディスク状態情報ＢＰ２にエンプティ状態を示すデータ００ｈを記録する。ブロック１００１でディスクの記録状態がファイナライズまたはフルファイナライズ状態ではないと判断された場合は、ブロック１００３でＲＭＤのフィールド０のディスク状態情報ＢＰ２にエンプティ状態を示すデータ００ｈを記録する。
【０１５８】
次に、上述したフォーマット動作、クローズ（ファイナライズ）動作、パディング動作、ミドルエリア拡張動作、ブランク動作の最中に動作中止指示を受けた際の処理を図２７、図２８のフローチャートを参照して説明する。図２７と図２８の違いは、図２７は中止指示を受けた時に実行していた記録の１ステップを終了しないと中止できない場合を示し、図２８は中止指示を受けた時に実行していた１ステップの記録の途中で中止できる場合を示している点である。図２８が適用される記録ステップは、ゼロデータの記録とターミネータの記録であり、ブロック１０７、２０３、３０３、３０４、４０２、４０３、５０４、５０５、６０５、６０６、７０５、７０６、９０２、９０３である。それ以外の記録ステップでは図２７が適用される。クイックフォーマット、フルフォーマット以外の動作を中止した場合は、ＲＭＤフィールド４のフォーマット領域管理情報はフォーマット以前の値と変わらない。そのため、中止した後のディスクではフォーマット以前のフォーマット領域の内容、サイズは変更されない。記録状態を示すＲＭＤフィールド６以降の記録領域管理情報（ビットマップ）は中止されるまでの記録状態の変化に伴い変更される。
【０１５９】
図２７は、中止指示を受けた時に実行していた記録の１ステップを終了しないと中止できない中止処理のフローチャートを示す。記録開始とは、図１７から図２６の各フローチャートのブロック１０７、２０３、３０３、３０４、４０２、４０３、５０４、５０５、６０５、６０６、７０５、７０６、９０２、９０３以外の各ステップの記録を開始したことを示す。記録開始後は、ブロック１１０１でフォーマット・ファイナライズ・パディング・ミドルエリア拡張・ブランクの各動作の中止指示を受信したか否かを確認する。受信していない場合は、ブロック１１０４に進み、中止指示を受けた時に実行していた１ステップの記録が終了したか否かを確認する。記録が終了していなければ、ブロック１１０１に戻る。記録が終了していれば、この時（一度も中止指示を受信していない時）は、ブロック１１０５のＲＭＤの記録は省略して、中止処理を終了する。
【０１６０】
ブロック１１０１でフォーマット動作等の中止指示を受信した場合、ブロック１１０２で中止指示の内容を確認する。中止指示には、指示内容を確認した段階で（中止処理を始める前に）ホストに対して正常終了を報告するか、または指示された中止処理の終了後にホストに対して正常終了を報告するかの二種類が定義されている。
【０１６１】
ブロック１１０２で指示内容を確認した結果、中止処理を始める前にホストに対して正常終了を報告する中止指示であると判断されると、ブロック１１０３でホストに対して正常終了を報告する。その後、中止指示を受けた時に実行していた１ステップの記録が終了したか否かをブロック１１０４で確認し、終了した場合にはブロック１１０５でＲＭＤフィールド０のディスク状態情報ＢＰ２にインターミディエイト状態を示すデータ１３ｈまたは２３ｈを記録し、中止処理を終了する。なお、記録の実行中はホスト装置１０からのメディアへのアクセスを伴う指示に対してはフォーマット動作中である旨の異常終了報告をする。
【０１６２】
ブロック１１０２で、中止処理の終了後にホストに対して正常終了を報告する中止指示であると判定された場合は、中止指示を受けた時に実行していた１ステップの記録が終了したか否かをブロック１１０６で確認し、終了した場合にはブロック１１０７でＲＭＤフィールド０のディスク状態情報ＢＰ２にインターミディエイト状態を示すデータ１３ｈまたは２３ｈを記録し、ブロック１１０８でホストに対して正常終了を報告し、中止処理を終了する。
【０１６３】
フォーマット・ファイナライズ・パディング・ミドルエリア拡張・ブランク動作の最後の記録ステップ（例えば、図１７のブロック１０８）は、図２８の中止処理の対象ではないので、図２７の中止処理の対象であるので、そのステップの終了まで待つが、最後の記録ステップなので、その終了後に中止するということは実質的には中止しないことになるので、この場合は、ブロック１１０５、１１０７でのＲＭＤの記録は行わない。
【０１６４】
図２８は、中止指示を受けた時に実行していた記録の１ステップの終了を待たずに指示を受信した時に直ちに中止できる中止処理のフローチャートを示す。記録開始とは、図１７から図２６の各フローチャートのブロック１０７、２０３、３０３、３０４、４０２、４０３、５０４、５０５、６０５、６０６、７０５、７０６、９０２、９０３の各ステップの記録を開始したことを示す。記録開始後は、ブロック１２０１でフォーマット・ファイナライズ・パディング・ミドルエリア拡張・ブランクの各動作の中止指示を受信したか否かを確認する。受信していない場合は、ブロック１２０４に進み、記録ステップが中止したか否かを確認する。記録が中止していなければ、ブロック１２０１に戻る。記録が中止していれば、この時（一度も中止指示を受信していない時）は、ブロック１２０５のＲＭＤの記録は省略して、中止処理を終了する。
【０１６５】
ブロック１２０１でフォーマット動作等の中止指示を受信した場合、ブロック１２０２で中止指示の内容を確認する。中止指示には、指示内容を確認した段階で（中止処理を始める前に）ホストに対して正常終了を報告するか、または指示された中止処理の終了後にホストに対して正常終了を報告するかの二種類が定義されている。
【０１６６】
ブロック１２０２で指示内容を確認した結果、中止処理を始める前にホストに対して正常終了を報告する中止指示であると判断されると、ブロック１２０３でホストに対して正常終了を報告する。その後、ステップ１２０４で記録ステップが中止したか否かを確認する。記録が中止していなければ、ブロック１２０１に戻る。記録が中止していれば、ブロック１２０５でＲＭＤフィールド０のディスク状態情報ＢＰ２にインターミディエイト状態を示すデータ１３ｈまたは２３ｈを記録し、中止処理を終了する。なお、記録の実行中はホスト装置１０からのメディアへのアクセスを伴う指示に対してはフォーマット動作中である旨の異常終了報告をする。
【０１６７】
ブロック１２０２で、中止処理の終了後にホストに対して正常終了を報告する中止指示であると判定された場合は、ステップ１２０６で記録ステップが中止したか否かを確認する。記録が中止していなければ、ブロック１２０６に戻る。記録が中止していれば、ブロック１２０７でＲＭＤフィールド０のディスク状態情報ＢＰ２にインターミディエイト状態を示すデータ１３ｈまたは２３ｈを記録し、ブロック１１０８でホストに対して正常終了を報告し、中止処理を終了する。
【０１６８】
以上説明したように、第１の実施の形態によれば、フォーマット動作の開始前に、記録マネージメントデータ（ＲＭＤ）と物理フォーマット情報（ＰＦＩ）にフォーマット動作が進行中であることを示す情報と実行するフォーマットの種類と情報記録媒体がフォーマットされた範囲を示す情報を設定してからフォーマット動作を行い、フォーマット動作終了後に記録マネージメントデータ（ＲＭＤ）と物理フォーマット情報（ＰＦＩ）にフォーマット動作が完了したことを示す情報と情報記録媒体の記録状態を設定し、フォーマット動作中にフォーマット動作中止指示を受信すると、記録マネージメントデータ（ＲＭＤ）にフォーマット動作が中止されたことを示す情報を設定してからフォーマット動作を中止することにより、フォーマット動作を中止した時点までにフォーマットされている領域を利用することができる。
【０１６９】
変形例
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１７０】
【図１】本発明の実施形態の一つである光ディスク装置のブロック図。
【図２】本発明の実施形態の多層光ディスクの模式図。
【図３】本発明の実施形態の光ディスクのエンボス領域と記録可能領域の物理仕様を示す図。
【図４】本発明の実施形態の２層光ディスクの各レイヤーのレイアウトを示す図。
【図５】本発明の実施形態の２層光ディスクの記録可能領域のレイアウトの一例を示す図。
【図６】本発明の実施形態の単層光ディスクの記録可能領域のレイアウトの一例を示す図。
【図７】図５に示した２層光ディスクのリードイン領域内の記録マネジメントデータ複製領域Ｚ６、記録マネジメント領域Ｚ７、及びＲ物理フォーマット情報領域Ｚ８の構成を示す図。
【図８】記録マネジメントデータ複製領域Ｚ６の構成を示す図。
【図９】Ｒ物理フォーマット情報領域Ｚ８に保存される物理フォーマット情報の構成を示す図。
【図１０】記録マネジメントデータの構成を示す図。
【図１１】２層光ディスクの記録マネジメントデータのフィールド０のディスク共通情報の構成を示す図。
【図１２】単層光ディスクの記録マネジメントデータのフィールド０のディスク共通情報の構成を示す図。
【図１３】記録マネジメントデータのフィールド３のフォーマット状態管理情報及び記録状態管理情報の構成を示す図。
【図１４】記録マネジメントデータのフィールド３のフォーマット状態管理情報及び記録状態管理情報のフォーマット動作コードとフォーマット情報１、フォーマット情報２の関係を示す図。
【図１５】記録マネジメントデータのフィールド７以降の記録領域管理情報の構成を示す図。
【図１６】記録マネジメントデータのフィールド４のフォーマット領域管理情報の構成を示す図。
【図１７】クイックフォーマットの際のドライブの動作を示すフローチャート。
【図１８】クイックグローフォーマットの際のドライブの動作を示すフローチャート。
【図１９】フルフォーマットの際のドライブの動作を示すフローチャート。
【図２０】グローフォーマットの際のドライブの動作を示すフローチャート。
【図２１】ファイナライズの際のドライブの動作を示すフローチャート。
【図２２】フルファイナライズの際のドライブの動作を示すフローチャート。
【図２３】バックグラウンドパディングの際のドライブの動作を示すフローチャート。
【図２４】ミドル領域のサイズ変更の際のドライブの動作を示すフローチャート。
【図２５】フルブランクの際のドライブの動作を示すフローチャート。
【図２６】ミニマリーブランクの際のドライブの動作を示すフローチャート。
【図２７】記録ステップの途中では中止できない場合の各種動作の中止の際のドライブの動作を示すフローチャート。
【図２８】記録ステップの途中で中止できる場合の各種動作の中止の際のドライブの動作を示すフローチャート。
【図２９】クイックフォーマット動作の際のブロック１０２で記録されるＲＭＤの内容を示す図。
【図３０】クイックフォーマット動作の際のブロック１０８で記録されるＲＭＤの内容を示す図。
【図３１】クイックグローフォーマット動作の際のブロック２０２で記録されるＲＭＤの内容を示す図。
【図３２】クイックグローフォーマット動作の際のブロック２０６で記録されるＲＭＤの内容を示す図。
【図３３】フルフォーマット動作の際のブロック３０２で記録されるＲＭＤの内容を示す図。
【図３４】フルフォーマット動作の際のブロック３０５で記録されるＲＭＤの内容を示す図。
【図３５】グローフォーマット動作の際のブロック４０１で記録されるＲＭＤの内容を示す図。
【図３６】グローフォーマット動作の際のブロック４０４で記録されるＲＭＤの内容を示す図。
【図３７】バックグラウンドパディング動作の際のブロック７０８で記録されるＲＭＤの内容を示す図。
【図３８】バックグラウンドパディング動作の際のブロック７０３で記録されるＲＭＤの内容を示す図。
【符号の説明】
【０１７１】
１０…ホスト装置、１１…光ディスク、１２…光ディスク装置、Ｚ１０，Ｚ１９，Ｙ９…データ領域、Ｚ６，Ｙ５…記録マネジメントデータ複製領域、Ｚ７，Ｙ６…記録マネジメント領域、Ｚ８，Ｙ７…Ｒ物理フォーマット情報領域。
【図１】
2009015884.tif 000003
【図２】
2009015884.tif 000004
【図３】
2009015884.tif 000005
【図４】
2009015884.tif 000006
【図５】
2009015884.tif 000007
【図６】
2009015884.tif 000008
【図７】
2009015884.tif 000009
【図８】
2009015884.tif 000010
【図９】
2009015884.tif 000011
【図１０】
2009015884.tif 000012
【図１１】
2009015884.tif 000013
【図１２】
2009015884.tif 000014
【図１３】
2009015884.tif 000015
【図１４】
2009015884.tif 000016
【図１５】
2009015884.tif 000017
【図１６】
2009015884.tif 000018
【図１７】
2009015884.tif 000019
【図１８】
2009015884.tif 000020
【図１９】
2009015884.tif 000021
【図２０】
2009015884.tif 000022
【図２１】
2009015884.tif 000023
【図２２】
2009015884.tif 000024
【図２３】
2009015884.tif 000025
【図２４】
2009015884.tif 000026
【図２５】
2009015884.tif 000027
【図２６】
2009015884.tif 000028
【図２７】
2009015884.tif 000029
【図２８】
2009015884.tif 000030
【図２９】
2009015884.tif 000031
【図３０】
2009015884.tif 000032
【図３１】
2009015884.tif 000033
【図３２】
2009015884.tif 000034
【図３３】
2009015884.tif 000035
【図３４】
2009015884.tif 000036
【図３５】
2009015884.tif 000037
【図３６】
2009015884.tif 000038
【図３７】
2009015884.tif 000039
【図３８】
2009015884.tif 000040